(57)【要約】【課題】炉心部の上部に煙突部が設けられた上煙突型の筐体を有する線引装置を用いて光ファイバの線引きを行う場合、線引き終了間際に線引きされた光ファイバのガラス径の変動が大きくなることを抑制することができる、光ファイバの線引き方法を提供する。【解決手段】内側部材４ｂ〜７ｂが外側部材４ａ〜７ａの上に載るように構成された一つ以上の遮蔽板４〜７を、ダミー棒３に挿通して移動可能に取り付けると共に、一番下の遮蔽板７と光ファイバ母材Ｇの上端との間に風防板１１を取付けて、光ファイバＧ１の線引きが進行して光ファイバ母材Ｇが下降するのに伴い、外側部材４ａ〜７ａが煙突部２２内の内径縮径部２４ａ〜２４ｄに係止されることにより遮蔽板４〜７が係止されて、係止された遮蔽板４〜７により煙突部２２の空間が上下に遮蔽され、風防板１１が光ファイバ母材Ｇの上端との距離を一定に保って下降するように、光ファイバを線引きする。【選択図】図１
2019214482.tif 000002
【特許請求の範囲】
【請求項１】
炉心部の上部に煙突部が設けられた上煙突型の筐体を有する線引装置を用いて、ダミー棒で支持した光ファイバ母材を上下に昇降自在に前記筐体内に収容して前記光ファイバ母材を加熱して溶融させ、前記光ファイバ母材の下端から光ファイバを線引きする光ファイバの線引方法であって、
少なくとも外側部材と内側部材とを有して前記内側部材が前記外側部材の上に載るように構成された一つ以上の遮蔽板を、前記ダミー棒に挿通して移動可能に取り付けると共に、一番下の前記遮蔽板と前記光ファイバ母材の上端との間に風防板を取付けて、
光ファイバの線引きが進行して前記光ファイバ母材が下降するのに伴い、前記外側部材が前記煙突部内の内径縮径部に係止されることにより前記遮蔽板が係止されて、係止された前記遮蔽板により前記煙突部の空間が上下に遮蔽され、前記風防板が前記光ファイバ母材の上端との距離を一定に保って下降するように、光ファイバを線引きする光ファイバの線引き方法。
【請求項２】
前記風防板は、石英ガラスによって形成されている、請求項１に記載の光ファイバの線引き方法。
【請求項３】
前記風防板の直径は、前記煙突部の最小内径の０．９８倍以下である、請求項１または請求項２に記載の光ファイバの線引き方法。
【請求項４】
前記風防板の直径は、前記光ファイバ母材の直径の０．８０倍以上である、請求項１から請求項３のいずれか一項に記載の光ファイバの線引き方法。
【発明の詳細な説明】
【技術分野】
【０００１】
本発明は、光ファイバの線引き方法に関する。
【背景技術】
【０００２】
特許文献１には、炉心部の上部に煙突部が設けられた上煙突型の筐体を有する線引装置において、光ファイバ母材の上部空間を上下方向に画成する仕切り板が一枚設けられた光ファイバ線引装置が記載されている。
特許文献２〜４には、上記仕切り板が複数設けられた光ファイバ線引装置が記載されている。
【先行技術文献】
【特許文献】
【０００３】
【特許文献１】特開平５−１４７９６９号公報
【特許文献２】特開平１１−３４３１３７号公報
【特許文献３】特開２００２−０６８７７３号公報
【特許文献４】特開２００５−２２５７３３号公報
【発明の概要】
【発明が解決しようとする課題】
【０００４】
上煙突型の筐体を有する線引装置を用いて光ファイバの線引きを行う際に、線引き終了が近づいてきたところで、線引きされた光ファイバのガラス径の変動が大きくなる場合がある。このように、ガラス径の変動が大きくなると品質が悪化するおそれがあり、線引き終了間際に線引きされた光ファイバは、不良品として廃却しなければならなくなる。
【０００５】
本発明は、炉心部の上部に煙突部が設けられた上煙突型の筐体を有する線引装置を用いて光ファイバの線引きを行う場合、線引き終了間際に線引きされた光ファイバのガラス径の変動が大きくなることを抑制することができる、光ファイバの線引き方法を提供することを目的とする。
【課題を解決するための手段】
【０００６】
本発明の一態様に係る光ファイバの線引き方法は、
炉心部の上部に煙突部が設けられた上煙突型の筐体を有する線引装置を用いて、ダミー棒で支持した光ファイバ母材を上下に昇降自在に前記筐体内に収容して前記光ファイバ母材を加熱して溶融させ、前記光ファイバ母材の下端から光ファイバを線引きする光ファイバの線引方法であって、
少なくとも外側部材と内側部材とを有して前記内側部材が前記外側部材の上に載るように構成された一つ以上の遮蔽板を、前記ダミー棒に挿通して移動可能に取り付けると共に、一番下の前記遮蔽板と前記光ファイバ母材の上端との間に風防板を取付けて、
光ファイバの線引きが進行して前記光ファイバ母材が下降するのに伴い、前記外側部材が前記煙突部内の内径縮径部に係止されることにより前記遮蔽板が係止されて、係止された前記遮蔽板により前記煙突部の空間が上下に遮蔽され、前記風防板が前記光ファイバ母材の上端との距離を一定に保って下降するように、光ファイバを線引きする。
【発明の効果】
【０００７】
上記発明の光ファイバの線引き方法によれば、炉心部の上部に煙突部が設けられた上煙突型の筐体を有する線引装置を用いて光ファイバの線引きを行う場合、線引き終了間際に線引きされた光ファイバのガラス径の変動が大きくなることを抑制することができる。
【図面の簡単な説明】
【０００８】
【図１】本発明の実施形態に係る光ファイバの線引き方法を用いた線引装置の概略図である。
【図２】従来の線引装置の一例および線引き終了間際の線引炉内の温度分布を示す図である。
【図３】従来の線引装置を用いて光ファイバの線引きを行った場合の線引き時間の経過に対する光ファイバのガラス径の測定データを示す図である。
【発明を実施するための形態】
【０００９】
（本発明の実施形態の説明）
最初に本発明の実施態様を列記して説明する。
本発明の一態様に係る光ファイバの線引き方法は、
（１）炉心部の上部に煙突部が設けられた上煙突型の筐体を有する線引装置を用いて、ダミー棒で支持した光ファイバ母材を上下に昇降自在に前記筐体内に収容して前記光ファイバ母材を加熱して溶融させ、前記光ファイバ母材の下端から光ファイバを線引きする光ファイバの線引方法であって、
少なくとも外側部材と内側部材とを有して前記内側部材が前記外側部材の上に載るように構成された一つ以上の遮蔽板を、前記ダミー棒に挿通して移動可能に取り付けると共に、一番下の前記遮蔽板と前記光ファイバ母材の上端との間に風防板を取付けて、
光ファイバの線引きが進行して前記光ファイバ母材が下降するのに伴い、前記外側部材が前記煙突部内の内径縮径部に係止されることにより前記遮蔽板が係止されて、係止された前記遮蔽板により前記煙突部の空間が上下に遮蔽され、前記風防板が前記光ファイバ母材の上端との距離を一定に保って下降するように、光ファイバを線引きする。
上記方法によれば、光ファイバ母材の上端と一番下の遮蔽板との間に生じる強い上昇気流を風防板によって抑制することができる。これにより、炉心部の上部に煙突部が設けられた上煙突型の筐体を有する線引装置を用いて光ファイバの線引きを行う場合に、線引き終了間際に線引きされた光ファイバのガラス径の変動が大きくなることを抑制することができる。
【００１０】
（２）前記風防板は、石英ガラスによって形成されていてもよい。
上記方法によれば、石英ガラスによって形成された風防板は、例えばカーボンのように高温化した光ファイバ母材から発生するＳｉＯ２の蒸気や酸素により酸化され発塵することは無い。
また、石英ガラスによって形成された風防板は、光ファイバ母材の上端からの輻射光をある程度透過させることができる。これにより、煙突部における風防板の上下の空間の温度差が大きくなることを抑制することができる。風防板の上下の空間の温度差が抑制されることで気流の乱れが抑制され、線引きされた光ファイバのガラス径の変動が大きくなることを、さらに抑制することができる。
【００１１】
（３）前記風防板の直径は、前記煙突部の最小内径の０．９８倍以下であってもよい。
上記方法によれば、風防板の直径が、煙突部の最小内径の０．９８倍以下であるので、風防板と煙突部内面とがほぼ接触することなく線引きすることができる。
【００１２】
（４）前記風防板の直径は、前記光ファイバ母材の直径の０．８０倍以上であってもよい。
上記方法によれば、風防板の直径が、光ファイバ母材の直径の０．８０倍以上であるので、光ファイバのガラス径の変動を、さらに確実に抑制することができる。
【００１３】
（本発明の実施形態の詳細）
本発明の実施形態に係る光ファイバの線引き方法の具体例を、以下に図面を参照しつつ説明する。
なお、本発明はこれらの例示に限定されるものではなく、特許請求の範囲によって示され、特許請求の範囲と均等の意味および範囲内でのすべての変更が含まれることが意図される。
【００１４】
図１は、本発明の実施形態に係る光ファイバの線引き方法を適用した線引装置の一例を示す縦断面図である。
図１に示すように、線引装置１は、光ファイバ母材Ｇから光ファイバＧ１を線引きする装置である。線引装置１は、光ファイバ母材Ｇを上下に昇降自在に収容する線引炉２と、線引炉２内をダミー棒３に沿って移動可能な一つ以上（本例では４枚）の遮蔽板４，５，６，７と、を備えている。また、線引装置１は、光ファイバ母材Ｇを加熱するヒータ８と、線引炉２内に不活性ガス（例えば、ヘリウムガス）を供給するガス供給部９と、を備えている。
【００１５】
線引炉２は、その上部が蓋部材２１によって閉塞される筒状の煙突部２２と、煙突部２２の下側に配置される炉心部２３と、を備える上煙突型の炉（筐体）である。
【００１６】
また、線引炉２は、炉心部２３の下側に下方延長部２５を備える。下方延長部２５は、炉心部２３よりも径が小さい円筒形状であり、炉心部２３に連続して設けられている。
【００１７】
ヒータ８は、炉心部２３の外側に組み付けられている。ガス供給部９は、煙突部２２に連通して接続されている。ガス供給部９は、線引中のヒータ８による加熱に伴う炉心部２３の酸化および劣化を抑制するための不活性ガスを線引炉２内に供給する。例えば、ガス供給部９から供給された不活性ガスは、ガス通路９ａを経て、ガス吹込み口９ｂから煙突部２２と炉心部２３との間に吹き込まれる。
【００１８】
煙突部２２は、その内周部２２ａが、ダミー棒３の中心軸に対して垂直な断面において、例えば円環形状に形成されている。内周部２２ａの円形断面の内径は、上下方向の位置によって相違した大きさである。なお、図１の例では、内周部２２ａが煙突部２２の外周部２２ｂと別体となっているが、一体となっていてもよい。煙突部２２の内周部２２ａには、内径縮径部（本例では下方が縮径した段部になっている）２４ａ〜２４ｄが上下方向へ所定間隔に形成されている。これにより、煙突部２２は、円形断面の内径が上方から下方に行くにつれて各内径縮径部毎に小さくなるように構成されている。本例では、煙突部２２は、内周部２２ａが下方に向けて四段階に縮径されている。
【００１９】
煙突部２２は、蓋部材２１の中央部にダミー棒３が挿通されている。ダミー棒３には、連結部材１０を介して光ファイバ母材Ｇが組み付けられている。遮蔽板４，５，６，７は、ダミー棒３に挿通されて移動可能に連結部材１０の上部に配置されている。そして、一番下の遮蔽板７と光ファイバ母材Ｇの上端との間に風防板１１が配置されている。風防板１１は、例えば、連結部材１０の上面に取り付けられている。このため、例えば、線引される光ファイバ母材Ｇが線引炉２内の最も上方に位置されているとき、遮蔽板４，５，６，７は、積層状態で風防板１１の上面に載置される形になる。
【００２０】
遮蔽板４，５，６，７は、外側部材４ａ，５ａ，６ａ，７ａと内側部材４ｂ，５ｂ，６ｂ，７ｂとでそれぞれ構成されている。外側部材４ａ，５ａ，６ａ，７ａおよび内側部材４ｂ，５ｂ，６ｂ，７ｂは、共に中心部に孔が開けられた、例えば、円盤状の板である。内側部材４ｂ，５ｂ，６ｂ，７ｂは、外側部材４ａ，５ａ，６ａ，７ａの上側にそれぞれ配置される。外側部材４ａ，５ａ，６ａ，７ａおよび内側部材４ｂ，５ｂ，６ｂ，７ｂは、石英、カーボン、炭化珪素等の耐熱材料で形成されており、その厚さは数ｍｍ〜十数ｍｍ程度である。
【００２１】
遮蔽板４，５，６，７の外側部材４ａ，５ａ，６ａ，７ａの各外径は、煙突部２２の段階的に縮径される各内径に対応した径とされている。すなわち、一番上側の外側部材４ａは、煙突部２２の縮径されていない部分の内径Ｄｃ１に対応した径とされ、上から一段目の内径縮径部２４ａの段上に載置され得る外径を有している。そして、上から二番目の外側部材５ａは、一段階に縮径された部分の内径Ｄｃ２に対応した径とされ、上から一段目の内径縮径部２４ａの段上に載置され得ない外径（小径である）で、かつ、上から二段目の内径縮径部２４ｂの段上に載置され得る外径を有している。以下、外側部材６ａ，７ａの外径は、煙突部２２の内径Ｄｃ３，Ｄｃ４に対応した径とされ、順次下側の内径縮径部２４ｃ、２４ｄの段上に載置され得る大きさとされている。また、一番下側の外側部材７ａの外径は、煙突部２２の最も縮径された部分の最小内径Ｄｃよりも大きく形成されている。外側部材４ａ，５ａ，６ａ，７ａの中心部に形成された孔の内径は、ダミー棒３の直径よりも若干大きく形成されている。
【００２２】
遮蔽板４，５，６，７の内側部材４ｂ，５ｂ，６ｂ，７ｂの各外径は、対になっている外側部材４ａ，５ａ，６ａ，７ａの中心部に形成された孔の内径よりも十分大きく、かつ、対になっている外側部材４ａ，５ａ，６ａ，７ａの外径よりも小さくされている。
内側部材４ｂ，５ｂ，６ｂ，７ｂの中心部に形成された孔の内径は、外側部材４ａ，５ａ，６ａ，７ａの中心部に形成された孔の内径よりも小さく、かつ、ダミー棒３の外径よりも僅かに大きく、ダミー棒３に対して摺動可能に形成されている。このため、中心部の孔にダミー棒３が挿通されたとき、内側部材４ｂ，５ｂ，６ｂ，７ｂは、外側部材４ａ，５ａ，６ａ，７ａの上に載るように構成されている。
【００２３】
風防板１１は、中央に孔が開けられた、例えば、円盤状の板である。風防板１１は、例えば、石英ガラスで形成されており、その厚さは数ｍｍ〜十数ｍｍ程度である。風防板１１の直径Ｄは、煙突部２２の最も縮径された部分の最小内径Ｄｃよりも小さくなるように形成されている。例えば、風防板１１の直径Ｄは、最小内径Ｄｃの０．９８倍以下である。また、風防板１１の直径Ｄは、光ファイバ母材Ｇの直径Ｄｐに対して、例えば、０．８０倍以上である。
【００２４】
次に、本実施形態に係る光ファイバの線引き方法を線引装置１に適用した例で説明する。
まず、ダミー棒３の下端に連結部材１０を介して光ファイバ母材Ｇを取り付け、光ファイバ母材Ｇの下端をヒータ８で加熱し溶融させる。そして、溶融されている光ファイバ母材Ｇの下端から光ファイバＧ１を線引きする。線引きされる光ファイバＧ１は、下方延長部２５から引き出される。光ファイバ母材Ｇは、光ファイバＧ１の線引きが進むと短くなるのでダミー棒３を下降させて光ファイバ母材Ｇの下端がヒータ８によって常に加熱されるようにする。線引き中は、ガス供給部９から不活性ガスを線引炉２の内部に供給する。また、煙突部２２の上部は、内部の不活性ガスが流出しないように蓋部材２１で蓋をする。
【００２５】
最初は、４枚の遮蔽板４，５，６，７は、積み重ねられた状態となっており、光ファイバＧ１の線引きが進行して光ファイバ母材Ｇが短くなるに伴い、風防板１１が取り付けられた連結部材１０がダミー棒３と共に降下する。４枚の遮蔽板４，５，６，７は、煙突部２２の内径が各外側部材４ａ，５ａ，６ａ，７ａの外径よりも小さくなる内径縮径部２４ａ〜２４ｄで下方への移動がそれぞれ阻止される。この結果、遮蔽板４，５，６，７は、上部の遮蔽板４から下部の遮蔽板７へと各内径縮径部２４ａ〜２４ｄに順次係止される。光ファイバ母材Ｇが短くなるに伴い、各遮蔽板４，５，６，７によって煙突部２２内の空間が順次上下に仕切られることにより、光ファイバ母材Ｇの上部の空間容積がほぼ一定に保たれたまま線引きされる。
【００２６】
一方、風防板１１は、内径縮径部２４ａ〜２４ｄに係止されることなく、光ファイバ母材Ｇの上端との距離を一定に保った状態で光ファイバ母材Ｇおよび連結部材１０と共に線引炉２内を下降する。
【００２７】
ところで、炉心部の上部に煙突部が設けられた上煙突型の線引炉を有する線引装置を用いて光ファイバの線引きを行う場合、線引き終了間際において、線引された光ファイバのガラス径が大きく変動してしまうことがある。
【００２８】
図２は、線引き終了間際にガラス径の変動を発生する場合がある、従来の線引装置の一例、および線引き終了間際の線引炉内の温度分布を示す図である。また、図３は、従来の線引装置を用いて光ファイバの線引きを行った場合の線引き時間の経過に対する光ファイバのガラス径の測定データを示す図である。
【００２９】
図２に示す線引装置１００は、風防板を備えていない。図２に示すように、線引装置１００における線引きが進行すると、３枚設置された遮蔽板１０４，１０５，１０６が順次係止されていき、一番下側の遮蔽板１０６が係止された後も、光ファイバ母材Ｇは更に下方部へと下降していく。
光ファイバ母材Ｇが炉心部１２３のヒータ１０８によって直接加熱されるのは光ファイバ母材Ｇの下端側であるが、ヒータ１０８の輻射光は光ファイバ母材Ｇ内を下から上へと伝搬する。このため、光ファイバ母材Ｇの上端側は、光ファイバ母材Ｇの上端部（外径が小さくなる肩部）からヒータ１０８の輻射光が放出されて、輻射光の熱を放出するヒータのように作用する。
【００３０】
光ファイバの線引きが進行して線引き終了間際になると、短くなった光ファイバ母材Ｇの上端の位置が炉心部１２３のヒータ１０８の位置に近くなる。これにより、炉心部１２３内の温度分布Ｈ０は、図２に示されるように、ヒータ１０８によって形成されるヒートゾーンの温度分布Ｈ１と、光ファイバ母材Ｇ上端からの輻射熱で形成されるヒートゾーンの温度分布Ｈ２とが重複した分布となる。このため、光ファイバ母材Ｇの下部や中部を線引きしているときとは異なった温度分布が線引炉１０２内に形成されて、光ファイバ母材Ｇの上端部から一番下側の遮蔽板１０６の間の領域Ｓに急峻な温度勾配が発生する。
【００３１】
この急峻な温度勾配の発生により、領域Ｓにおいて炉心部１２３から煙突部１２２に向かい、例えば、図２の矢印Ｐで示すような、強い上昇気流が発生する。そして、この上昇気流の発生により、すでに閉じている一番下側の遮蔽板１０６の内側部材１０６ｂが押されて動き、線引炉１０２内の遮蔽状態が崩れる。このため、線引炉１０２内の圧力に変動が生じ、この内圧の変動に応じて光ファイバのガラス径に変動が生じる。その結果、例えば、図３に示されるように、線引き終了間際における一定の期間Ｔにおいて光ファイバのガラス径が大きく変動することになる。
【００３２】
これに対して、本実施形態に係る光ファイバの線引き方法は、図１に示すように、一番下の遮蔽板７と光ファイバ母材Ｇの上端との間に風防板１１を取り付けた状態で線引きを行う。このため、この領域Ｓに生じる強い上昇気流を風防板１１によって抑制することができるとともに、一番下の遮蔽板７の内側部材７ｂに向かって上昇気流が直撃することを防ぐことができる。したがって、炉心部の上部に煙突部が設けられた上煙突型の筐体を有する線引装置を用いて光ファイバの線引きを行う場合に、線引き終了間際に線引きされた光ファイバのガラス径の変動が大きくなることを抑制することができる。
【００３３】
また、線引炉２内では石英ガラス製の光ファイバ母材Ｇを溶かしながら線引きを行っており、風防板１１は、このような線引炉２内の１０００℃を超える高温部で使用される。このため、例えば、風防板１１の材質としてカーボンを用いた場合、高温化した光ファイバ母材Ｇから発生するＳｉＯ２の蒸気や酸素により、風防板１１が酸化され発塵する可能性がある。これに対して、風防板１１の材質として石英ガラスを用いた場合は、酸化による発塵の虞がなく、光ファイバ母材Ｇや光ファイバＧ１に対する塵の付着によるガラス径変動の発生を抑制することができる。
【００３４】
また、風防板１１で光ファイバ母材Ｇの上端からの輻射光が遮られると、風防板１１の上下の温度差が大きくなりすぎて、気流の大きな乱れが発生するおそれがある。このため、風防板１１を石英ガラスで形成することにより、上記輻射光をある程度透過させることができ、風防板１１の上下の温度差が大きくなることを抑制することができる。これにより、気流の乱れの発生を抑制することができ、線引きされた光ファイバＧ１のガラス径の変動が大きくなることを、さらに抑制することができる。
【００３５】
（風防板実験例）
次に、線引装置１における風防板１１の直径Ｄを変えて、本実施形態に係る光ファイバの線引き方法によって線引きを行った風防板実験例について述べる。
風防板実験例では、同一の線引装置１に対して同一径の光ファイバ母材を用いて、直径Ｄが異なる風防板１１を用いた例１〜例９の場合において、それぞれ線引きを行った。例１〜例９の風防板１１の直径Ｄは、煙突部２２の最小内径Ｄｃとの比率（Ｄ／Ｄｃ）、および、光ファイバ母材Ｇの直径Ｄｐとの比率（Ｄ／Ｄｐ）で示した。各例ともそれぞれ１００本の光ファイバ母材Ｇに対して線引きができるか否かを検査した。そして、線引きされた光ファイバＧ１に対して、線引き時間の経過に対する光ファイバＧ１のガラス径の測定を行い、測定結果（例えば図３のようなグラフ）から所定の大きさ以上のガラス径の変動が発生するか否かを検査した。
表１は、例１〜例９におけるそれぞれの線引きの結果を示す。
【００３６】
【表１】
2019214482.tif 000003
【００３７】
Ｄ／Ｄｃが、１．００の例１では、線引きパスライン位置の自動調整（ダミー棒３の水平移動）の作用により、風防板１１と煙突部２２の内面が接触し、全く線引きができなかった。
Ｄ／Ｄｃが０．９８の例２では、９８％の光ファイバ母材Ｇにおいて、風防板１１が煙突部２２の内面に接触することなく線引きができた。
Ｄ／Ｄｃが０．９５以下かつ０．３８以上の場合（例３〜９）は、全ての光ファイバ母材Ｇにおいて、風防板１１が煙突部２２の内面に接触することなく線引きができた。ところが、Ｄ／Ｄｃが０．７０以下の場合（例７〜９）は、Ｄ／Ｄｐが０．７４以下となり、線引きで得られた一部の光ファイバＧ１で所定の大きさ以上のガラス径の変動が発生した。
一方、Ｄ／Ｄｐが０．８０以上かつ１．０３以下の場合（例２〜６）は、線引きで得られた全ての光ファイバＧ１で所定の大きさ以上のガラス径の変動が発生しなかった。なお、Ｄ／Ｄｐが１．０５の場合（例１）は、Ｄ／Ｄｃが１．００であり、前述のように、風防板１１と煙突部２２の内面が接触して全く線引きができなかったので、光ファイバＧ１のガラス径の変動の検査は行っていない。
【００３８】
本実施形態に係る光ファイバの線引き方法によれば、上記風防板実験例に示すように、例えば、風防板１１の直径Ｄを煙突部２２の最小内径Ｄｃの０．９８倍以下（Ｄ／Ｄｃが０．９８以下）とすることにより、風防板１１と煙突部２２内面とがほぼ接触することなく光ファイバＧ１の線引きを行うことができる。また、例えば、風防板１１の直径Ｄを光ファイバ母材Ｇの直径Ｄｐの０．８０倍以上（Ｄ／Ｄｐが０．８０以上）とすることにより、強い上昇気流を十分に抑えることができ、光ファイバＧ１のガラス径の変動を、さらに確実に抑制することができる。
【００３９】
以上、本発明を詳細にまた特定の実施態様を参照して説明したが、本発明の精神と範囲を逸脱することなく様々な変更や修正を加えることができることは当業者にとって明らかである。また、上記説明した構成部材の数、位置、形状等は上記実施の形態に限定されず、本発明を実施する上で好適な数、位置、形状等に変更することができる。
【符号の説明】
【００４０】
１：線引装置
２：線引炉
３：ダミー棒
４，５，６，７：遮蔽板
４ａ，５ａ，６ａ，７ａ：外側部材
４ｂ，５ｂ，６ｂ，７ｂ：内側部材
１０：連結部材
１１：風防板
２２：煙突部
２２ａ：内周部
２２ｂ：外周部
２３：炉心部
２４ａ〜２４ｄ：内径縮径部
２５：下方延長部
Ｄ：風防板の直径
Ｄｃ：最小内径
Ｄｐ：光ファイバ母材の直径
Ｇ：光ファイバ母材
Ｇ１：光ファイバ
【図１】
2019214482.tif 000004
【図２】
2019214482.tif 000005
【図３】
2019214482.tif 000006